(57)【要約】【課題】映像や音声の入力と出力をマトリクス状に接続するビデオルータにおいて、ビデオルータの入力数や出力数などの構成を自由に変更することが可能なユニットを提供する。【解決手段】ビデオルータを構成するユニット（スイッチユニット）であって、１以上であるｎ個の入力端子Ａと、前記ｎ個の入力端子Ａのそれぞれと有線で接続されたｎ個の入力接続端子Ｂと、１以上であるｍ個の出力端子Ｄと、前記ｍ個の出力端子Ｄのそれぞれと有線で接続されたｍ個の出力接続端子Ｃと、前記ｎ個の入力端子Ａと前記ｍ個の出力端子Ｄの組み合わせの１つ以上について設けられるスイッチｓと、を備えた。【選択図】  図１
2008252516.tif 000002
【特許請求の範囲】
【請求項１】
ビデオルータを構成するユニットであって、
１以上であるｎ個の入力端子と、
前記ｎ個の入力端子のそれぞれと有線で接続されたｎ個の入力接続端子と、
１以上であるｍ個の出力端子と、
前記ｍ個の出力端子のそれぞれと有線で接続されたｍ個の出力接続端子と、
前記ｎ個の入力端子と前記ｍ個の出力端子の組み合わせの１つ以上について設けられるスイッチと、
を備えたことを特徴とするビデオルータのユニット。
【請求項２】
ビデオルータを構成するユニットであって、
１以上であるｎ個の入力端子及び前記ｎ個の入力端子のそれぞれと有線で接続されたｎ個の入力コネクタを備えた、又は、１以上であるｍ個の出力端子及び前記ｍ個の出力端子のそれぞれと有線で接続されたｍ個の出力コネクタを備えた、又は、これら両方を備えた、
ことを特徴とするビデオルータのユニット。
【請求項３】
ビデオルータにおいて、
１以上であるｎ個の入力端子とｎ個の入力接続端子と１以上であるｍ個の出力端子とｍ個の出力接続端子を有するユニットを着脱可能に接続することが可能な複数のコネクタ部を設けたプラッタを用いて構成され、
前記プラッタでは、一のコネクタ部における前記入力接続端子の差込部と縦横のうちの一方向で隣接する他のコネクタ部における前記入力端子の差込部とが有線で接続されており、一のコネクタ部における前記出力端子の差込部と縦横のうちの他の方向で隣接する他のコネクタ部における前記出力接続端子の差込部とが有線で接続されている、
ことを特徴とするビデオルータ。
【発明の詳細な説明】
【技術分野】
【０００１】
本発明は、映像や音声の入力と出力をマトリクス状に接続するビデオルータのユニットに関し、特に、ビデオルータの入力数や出力数などの構成を自由に変更することが可能なユニットに関する。
【背景技術】
【０００２】
例えば、デジタルテレビジョンシステムの放送局等では、複数の映像を出す装置を有している。映像を出す装置としては、例えば、複数のビデオデッキ、スタジオのカメラ、中継車からの中継映像、キー局からの回線映像、静止画装置などがある。これらの装置は、通常、ビデオルータの入力に接続され、また、ビデオルータの出力側は、例えば、放送用出力、録画用ビデオデッキ、回線出力など、複数の装置に接続されている。
ここで、通常、ビデオルータと呼ばれるマトリクススイッチが、入力の装置と出力の装置を自由な組み合わせで接続するために用いられており、番組の編集や記録などに役立てられている。
【０００３】
図１９には、一般的な２入力及び２出力のルータの一例を示してある。
本例のルータでは、スイッチｓ１０１〜ｓ１０４のオンオフを切り替えることにより、入力Ａ１、Ａ２の出力先を出力Ｄ１、Ｄ２から選択して出力させることができる。なお、本例では、各出力には、バッファ１０１、１０２が備えられている。
例えば、入力Ａ１から出力Ｄ１へ出力させるとともに入力Ａ２から出力Ｄ２へ出力させる、などの接続が可能である。
また、例えば、入力Ａ２から出力Ｄ１へ出力させるとともに入力Ａ２から出力Ｄ２へ出力させる、などのように同じ入力を出力させることも可能である。
ここで、ｎ及びｍを任意の自然数として、ルータの入力数と出力数は、ｎ入力×ｍ出力のように拡張することが可能である。
【０００４】
図２０には、ルーティングを外部から制御可能としたルータの一例を示してある。
本例のルータでは、図１９に示されるような構成において、更に、各スイッチｓ１０１〜ｓ１０４を制御する制御装置１１１を備えている。
制御装置１１１は、外部の装置から入力と出力とを接続する指示のデータを受け取り、そのデータに基づいてルーティングに必要なスイッチｓ１０１〜ｓ１０４をオンする。
【０００５】
図２１には、２入力及び２出力のルーティング回路の一例を示してある。
本例のルーティング回路では、スイッチｓ１１１、ｓ１１２、ｓ１２１、ｓ１２２のオンオフを切り替えることにより、入力Ａ１、Ａ２の出力先を出力Ｄ１、Ｄ２から選択して出力させることができる。
図２２には、４入力及び４出力のルータの構成例を示してある。
本例のルータでは、図２１に示されるのと同様なルーティング回路を４個有している。
従来のルータでは、このような増設形態がほとんどである。
【０００６】
【特許文献１】特開２００３−１２５２８８号公報
【発明の開示】
【発明が解決しようとする課題】
【０００７】
しかしながら、従来のビデオルータでは、入力の線数と出力の線数が予め決められており、ダイナミックに線数を変更することは困難であった。
また、例えば、増設ユニットにより入力線数や出力線数を変更することを可能にすることも考えられるが、マトリクスを２つ以上有するように構成することはできなかった。
【０００８】
本発明は、このような従来の事情に鑑み為されたもので、ビデオルータの入力数や出力数などの構成を自由に変更することができ、例えば、マトリクスを２つ以上構成することが可能なユニットを提供することを目的とする。
【課題を解決するための手段】
【０００９】
上記目的を達成するため、本発明では、次のようなユニットを用いて、ビデオルータを構成する。
すなわち、本発明に係るビデオルータのユニット（スイッチユニット）は、１以上であるｎ個の入力端子と、前記ｎ個の入力端子のそれぞれと有線で接続されたｎ個の入力接続端子と、１以上であるｍ個の出力端子と、前記ｍ個の出力端子のそれぞれと有線で接続されたｍ個の出力接続端子と、前記ｎ個の入力端子と前記ｍ個の出力端子の組み合わせの１つ以上について設けられるスイッチと、を備えている。
従って、このようなスイッチユニットや他のユニットを任意に組み合わせることにより、ビデオルータの入力数や出力数などの構成を自由に変更することができ、例えば、マトリクスを２つ以上構成することも可能である。
【００１０】
本発明では、次のようなユニットを用いて、ビデオルータを構成する。
すなわち、本発明に係るビデオルータのユニット（入力や出力のユニット）では、１以上であるｎ個の入力端子及び前記ｎ個の入力端子のそれぞれと有線で接続されたｎ個の入力コネクタを備えている、又は、１以上であるｍ個の出力端子及び前記ｍ個の出力端子のそれぞれと有線で接続されたｍ個の出力コネクタを備えている、又は、これら両方を備えている。
従って、このような入力や出力のユニットや他のユニットを任意に組み合わせることにより、ビデオルータの入力数や出力数などの構成を自由に変更することができ、例えば、マトリクスを２つ以上構成することも可能である。
【００１１】
なお、具体的には、本発明に係るビデオルータのユニット（入力ユニット）では、１以上であるｎ個の入力端子及び前記ｎ個の入力端子のそれぞれと有線で接続されたｎ個の入力コネクタを備えている。
本発明に係るビデオルータのユニット（出力ユニット）では、１以上であるｍ個の出力端子及び前記ｍ個の出力端子のそれぞれと有線で接続されたｍ個の出力コネクタを備えている。
本発明に係るビデオルータのユニット（入出力ユニット）では、１以上であるｎ個の入力端子及び前記ｎ個の入力端子のそれぞれと有線で接続されたｎ個の入力コネクタと、１以上であるｍ個の出力端子及び前記ｍ個の出力端子のそれぞれと有線で接続されたｍ個の出力コネクタとの両方を備えている。
【００１２】
本発明に係るビデオルータでは、次のような構成とした。
すなわち、１以上であるｎ個の入力端子とｎ個の入力接続端子と１以上であるｍ個の出力端子とｍ個の出力接続端子を有するユニットを着脱可能に接続することが可能な複数のコネクタ部を設けたプラッタを用いて構成されている。また、前記プラッタでは、一のコネクタ部における前記入力接続端子の差込部と縦横のうちの一方向（縦方向又は横方向）で隣接する他のコネクタ部における前記入力端子の差込部とが有線で接続されており、一のコネクタ部における前記出力端子の差込部と縦横のうちの他の方向（横方向又は縦方向）で隣接する他のコネクタ部における前記出力接続端子の差込部とが有線で接続されている。
従って、各種のユニットを任意に組み合わせるようにプラッタに接続することにより、ビデオルータの入力数や出力数などの構成を自由に変更することができ、例えば、マトリクスを２つ以上構成することも可能である。
【００１３】
ここで、入力端子等の数ｎや、出力端子等の数ｍとしては、それぞれ、種々な数が用いられてもよい。
また、有線としては、例えば、ケーブルなどの配線を用いることができる。
また、スイッチユニットに設けられるスイッチとしては、例えば、入力端子と出力端子の組み合わせの全てについて備えられてもよく、或いは、一部について備えられてもよい。
また、スイッチユニットは、例えば、各スイッチを制御するための（例えば、（ｎ×ｍ）個の）制御端子を備えてもよい。
また、スイッチユニットにおいて、ある入力端子とある出力端子の組み合わせについて設けられるスイッチは、例えば、当該入力端子と当該出力端子との接続状態をオンとオフで切り替える機能を有する。
【００１４】
また、入力ユニットや出力ユニットや入出力ユニットは、例えば、ｎ個の入力接続端子や、ｍ個の出力接続端子や、（例えば、（ｎ×ｍ）個の）制御端子を備えてもよい。
また、各ユニットが有する端子の数やサイズや形状としては、種々な態様が用いられてもよく、一例として、各ユニットの端子数やサイズや形状を共通化すると、全体的に取り扱いが便利になる。
また、プラッタに備えられるコネクタ部のサイズや数としては、種々な態様が用いられてもよい。
【００１５】
なお、以上に示した本発明に係る構成と後述する実施例で示す構成との対応例を示す。
図１、図２、図１０、図１１、図１２には、それぞれ、スイッチユニットの構成例が示されている。
本例のスイッチユニットは、入力端子Ａ、出力接続端子（タンデム端子）Ｃ、入力接続端子（タンデム端子）Ｂ、出力端子Ｄ、制御端子Ｓ、スイッチｓを備えている。スイッチｓとしては、図１、図２、図１０の例のように入力と出力の全ての組み合わせについて備えられてもよく、或いは、図１１、図１２の例のように入力と出力の組み合わせの一部について備えられてもよい。
【００１６】
図３、図４には、それぞれ、入出力ユニットの構成例が示されている。図５には、入力ユニットの構成例が示されている。図６には、出力ユニットの構成例が示されている。
これらの本例のユニットは、スイッチユニットと同様な各端子Ａ、Ｃ、Ｂ、Ｄ、Ｓを備えており、入力コネクタ１１、１３や出力コネクタ１２、１４を備えている。また、入力側や出力側にバッファ（バッファアンプ）２１〜２４などを備えてもよい。
【００１７】
図７、図８、図９及び図１３〜図１６には、それぞれ、プラッタに複数のユニットを接続した例が示されている。
図７を例とすると、本例のプラッタでは、一のコネクタ部（ユニット３１が接続されたもの）における入力接続端子（タンデム端子）Ｂ１の差込部と縦方向で隣接する他のコネクタ部（ユニット３２が接続されたもの）における入力端子Ａ１の差込部とが有線（配線４１）で接続されており、また、一のコネクタ部（ユニット３２が接続されたもの）における出力端子Ｄ１の差込部と横方向で隣接する他のコネクタ部（ユニット３３が接続されたもの）における出力接続端子（タンデム端子）Ｃ１の差込部とが有線（配線４２）で接続されている。図８や図９の例についても同様である。
【００１８】
なお、図９の例のように、入力端子Ａ（及び入力接続端子Ｂ）が複数ある場合にはそれぞれの入力端子Ａとそれぞれの入力接続端子Ｂが接続され、同様に、出力端子Ｄ（及び出力接続端子Ｃ）が複数ある場合にはそれぞれの出力端子Ｄとそれぞれの出力接続端子Ｃが接続される。
図１７、図１８（ａ）には、プラッタに備えられるコネクタＣＮの配置の一例が示されており、図１８（ｂ）には、コネクタＣＮにユニットを差し込んだ例が示されている。
【発明の効果】
【００１９】
以上説明したように、本発明によると、例えば、スイッチユニットや入出力ユニットなどを任意に組み合わせてプラッタに接続することにより、ビデオルータの入力数や出力数などの構成を自由に変更することができ、例えば、マトリクスを２つ以上構成することも可能である。
【発明を実施するための最良の形態】
【００２０】
本発明に係る実施例を図面を参照して説明する。
図１には、１個のルーティングスイッチの構成部を１つのユニット（スイッチユニット）にまとめたものの一例を示してある。これは、ビデオルータを構成するための基本的な構成要素の一例であり、１入力及び１出力である。
本例のスイッチユニットは、入力の端子Ａ１と、タンデムの端子Ｃ１と、タンデムの端子Ｂ１と、出力の端子Ｄ１と、制御の端子Ｓ１１と、１個のスイッチｓ１１を備えている。
本例のスイッチユニットは、これら複数の端子Ａ１、Ｃ１、Ｂ１、Ｄ１、Ｓ１１を有するブロック状の筐体を用いて構成されている。
【００２１】
ここで、入力端子Ａ１とタンデム端子Ｂ１とが有線ケーブルで接続されており、タンデム端子Ｃ１と出力端子Ｄ１とが有線ケーブルで接続されている。また、これら２つの接続線の間にスイッチｓ１１が設けられている。このスイッチｓ１１は、ルーティングのための接続スイッチであり、制御端子Ｓ１１からの制御信号に応じてオン（接続する状態）とオフ（接続しない状態）が切り替えられる。
【００２２】
スイッチｓ１１がオフである（開いている）場合には、入力端子Ａ１からの信号はタンデム端子Ｂ１へ出力され、タンデム端子Ｃ１からの信号が出力端子Ｄ１へ出力される。
スイッチｓ１１がオンである（閉じている）場合には、入力端子Ａ１からの信号が出力端子Ｄ１へ出力される。
なお、タンデム端子Ｂ１は入力列をタンデムにつなぐための出力端子として用いることが可能であり、出力端子Ｄ１は出力列をタンデムにつなぐための出力端子として用いることが可能である。
【００２３】
図２には、２入力及び２出力のルーティングを行うユニット（スイッチユニット）の一例を示してある。これは、ビデオルータを構成するための基本的な構成要素の一例である。
本例のスイッチユニットは、２個の入力の端子Ａ１、Ａｎと、２個のタンデムの端子Ｃ１、Ｃｍと、２個のタンデムの端子Ｂ１、Ｂｎと、２個の出力の端子Ｄ１、Ｄｍと、４個の制御の端子Ｓ１１、Ｓ１ｎ、Ｓｍ１、Ｓｍｎと、４個のスイッチｓ１１、ｓ１ｎ、ｓｍ１、ｓｍｎを備えている。
本例のスイッチユニットは、これら複数の端子Ａ１、Ａｎ、Ｃ１、Ｃｍ、Ｂ１、Ｂｎ、Ｄ１、Ｄｍ、Ｓ１１、Ｓ１ｎ、Ｓｍ１、Ｓｍｎを有するブロック状の筐体を用いて構成されている。
【００２４】
ここで、入力端子Ａ１とタンデム端子Ｂ１とが有線ケーブルで接続されており、タンデム端子Ｃ１と出力端子Ｄ１とが有線ケーブルで接続されている。また、入力端子Ａｎとタンデム端子Ｂｎとが有線ケーブルで接続されており、タンデム端子Ｃｍと出力端子Ｄｍとが有線ケーブルで接続されている。
また、端子Ａ１、Ｂ１間の接続線と端子Ｃ１、Ｄ１間の接続線との間にスイッチｓ１１が設けられており、端子Ａｎ、Ｂｎ間の接続線と端子Ｃ１、Ｄ１間の接続線との間にスイッチｓ１ｎが設けられており、端子Ａ１、Ｂ１間の接続線と端子Ｃｍ、Ｄｍ間の接続線との間にスイッチｓｍ１が設けられており、端子Ａｎ、Ｂｎ間の接続線と端子Ｃｍ、Ｄｍ間の接続線との間にスイッチｓｍｎが設けられている。これらのスイッチｓ１１、ｓ１ｎ、ｓｍ１、ｓｍｎは、それぞれ、ルーティングのための接続スイッチであり、各制御端子Ｓ１１、Ｓ１ｎ、Ｓｍ１、Ｓｍｎからの制御信号に応じてオンとオフが切り替えられる。
【００２５】
スイッチｓ１１とスイッチｓ１ｎについては、本例では、両方がオフでもよいが、両方がオンにされることはない。スイッチｓ１１がオンである（閉じている）場合には、入力端子Ａ１からの信号が出力端子Ｄ１へ出力される。一方、スイッチｓ１ｎがオンである（閉じている）場合には、入力端子Ａｎからの信号が出力端子Ｄ１へ出力される。
同様に、スイッチｓｍ１とスイッチｓｍｎについては、本例では、両方がオフでもよいが、両方がオンにされることはない。スイッチｓｍ１がオンである（閉じている）場合には、入力端子Ａ１からの信号が出力端子Ｄｍへ出力される。一方、スイッチｓｍｎがオンである（閉じている）場合には、入力端子Ａｎからの信号が出力端子Ｄｍへ出力される。
【００２６】
ここで、図１には１入力及び１出力のスイッチユニットの一例を示し、図２には２入力及び２出力のスイッチユニットの一例を示したが、同様な構成により入力数と出力数を増やすことで、ｎ入力及びｍ出力（ｎ対ｍ）のルーティングのためのスイッチユニットを構成することができる。これらは、ビデオルータを構成するための基本的な構成要素となり得る。
なお、各スイッチは、例えば、人による操作に応じて或いは予め設定された切替条件に従って自動的に、外部の制御装置からの制御により切り替えることが可能である。
【００２７】
図３には、１入力及び１出力に対応した入出力ユニットの一例を示してある。
本例の入出力ユニットは、入力の端子Ａ１と、タンデムの端子Ｃ１と、タンデムの端子Ｂ１と、出力の端子Ｄ１と、制御の端子Ｓ１１と、入力コネクタ１１と、出力コネクタ１２を備えている。
本例の入出力ユニットは、これら複数の端子Ａ１、Ｃ１、Ｂ１、Ｄ１、Ｓ１１を有するブロック状の筐体を用いて構成されている。
【００２８】
ここで、入力コネクタ１１はタンデム端子Ｂ１と接続されており、入力コネクタ１１からの入力信号がタンデム端子Ｂ１に入力される。
また、出力コネクタ１２はタンデム端子Ｃ１と接続されており、タンデム端子Ｃ１からの出力信号が出力コネクタ１２に出力される。
【００２９】
図４には、１入力及び１出力に対応した入出力ユニットの他の一例を示してある。
本例の入出力ユニットでは、図３に示される構成において、更に、入力コネクタ１１とタンデム端子Ｂ１との間に入力回路としてバッファ（バッファアンプ）２１を備えており、出力コネクタ１２とタンデム端子Ｃ１との間に出力回路としてバッファ（バッファアンプ）２２を備えている。
【００３０】
ここで、入力回路や出力回路としては、バッファアンプばかりでなく、イコライザやリクロッカーなどが任意の組み合わせで用いられてもよい。
バッファアンプは、例えば、ケーブルの距離が長いような場合に用いられ、一般に、入出力のレベルの補正や、内部のスイッチによるインピーダンス等の変化を入出力から遮断するためなどに挿入される。
イコライザは、ケーブルにより減衰した信号を補正する機能を有する。なお、イコライザ機能は、例えば、バッファに設けられてもよい。
リクロッカーは、デジタル信号の歪（例えば、時間軸ジッタ等）を補正するリクロッキング機能を有する。
【００３１】
ここで、図３及び図４では、入出力兼用のユニットを示したが、入力と出力とで別々の機能を有するユニットとして構成することもでき、コスト面などの効果を得ることができる。
【００３２】
図５には、１入力に対応した入力ユニットの一例を示してある。この入力ユニットは、図４に示される入出力ユニットの入力回路部分のみを有している。
本例の入力ユニットは、入力の端子Ａ１と、タンデムの端子Ｃ１と、タンデムの端子Ｂ１と、出力の端子Ｄ１と、制御の端子Ｓ１１と、入力コネクタ１３と、バッファ（バッファアンプ）２３を備えている。
本例の入力ユニットは、これら複数の端子Ａ１、Ｃ１、Ｂ１、Ｄ１、Ｓ１１を有するブロック状の筐体を用いて構成されている。
入力コネクタ１３はバッファ２３を介してタンデム端子Ｂ１と接続されており、入力コネクタ１３からの入力信号がバッファ２３を介してタンデム端子Ｂ１に入力される。
【００３３】
図６には、１出力に対応した出力ユニットの一例を示してある。この出力ユニットは、図４に示される入出力ユニットの出力回路部分のみを有している。
本例の出力ユニットは、入力の端子Ａ１と、タンデムの端子Ｃ１と、タンデムの端子Ｂ１と、出力の端子Ｄ１と、制御の端子Ｓ１１と、出力コネクタ１４と、バッファ（バッファアンプ）２４を備えている。
本例の出力ユニットは、これら複数の端子Ａ１、Ｃ１、Ｂ１、Ｄ１、Ｓ１１を有するブロック状の筐体を用いて構成されている。
出力コネクタ１４はバッファ２４を介してタンデム端子Ｃ１と接続されており、タンデム端子Ｃ１からの出力信号がバッファ２４を介して出力コネクタ１４に出力される。
【００３４】
ここで、図３〜図６には、入力数や出力数が１であるユニットの構成例を示したが、同様な構成により入力数や出力数を増やすことで、ｎ入力やｍ出力のユニット（入出力ユニット、入力ユニット、出力ユニット）を構成することができる。これらは、ビデオルータを構成するための基本的な構成要素となり得る。
【００３５】
次に、上記した各ユニット（スイッチユニット、入出力ユニット、入力ユニット、出力ユニット）を組み合わせてビデオルータを構成することについて説明する。
本例では、ビデオルータの本体はプラッタ（プラッタのユニット）から構成されており、１個以上の任意のユニットをそのプラッタに差し込むことで、ビデオルータの機能が構成される。
【００３６】
図７には、１回路のルーティング装置（１対１のルータ）の構成例を示してある。
本例のルーティング装置は、図４に示されるような２個の入出力ユニット３１、３３と、図１に示されるような１個のスイッチユニット３２をプラッタに差し込んで構成されている。
本例のビデオルータでは、ユニットを接続する４個のコネクタを実装してあり、例えば有線ケーブルからなる所定の配線（一点鎖線で示したもの）４１、４２を有するプラッタで各ユニット３１、３２、３３を接続している。
【００３７】
具体的には、入力側の入出力ユニット３１のタンデム端子Ｂ１とスイッチユニット３２の入力端子Ａ１とがプラッタの配線４１により接続され、スイッチユニット３２の出力端子Ｄ１と出力側の入出力ユニット３３のタンデム端子Ｃ１とがプラッタの配線４２により接続される。
これにより、入力側の入出力ユニット３１の入力コネクタと出力側の入出力ユニット３３の出力コネクタとが、スイッチユニット３２のスイッチｓ１１を介して接続される。
【００３８】
ここで、図７では、複数のユニットの基本的な接続例を示し、このような１対１のルータが実施されてもよいが、実際には、更に多数のユニットを用いてビデオルータが構成される。
図８には、４対４のルータの構成例を示してある。
本例のビデオルータでは、ユニットを接続する２５個のコネクタを実装してあり、例えば有線ケーブルからなる所定の配線（一点鎖線で示したもの）を有するプラッタで２４個のユニットを接続している。なお、本例では、図８において、右上のコネクタにはユニットが差し込まれていない。
【００３９】
具体的には、プラッタでは、図８において、縦方向のユニットの並びについては、あるユニットのタンデム端子Ｂ１とその１つ下側のユニットの入力端子Ａ１とを接続する配線（一点鎖線で示したもの）が設けられており、また、横方向のユニットの並びについては、あるユニットの出力端子Ｄ１とその１つ右側のユニットのタンデム端子Ｃ１とを接続する配線（一点鎖線で示したもの）が設けられている。
【００４０】
図８の構成例では、右上のコネクタを除いて、一番上側の４個のコネクタに４個の１入力の入力ユニットが差し込まれており、一番右側の４個のコネクタに４個の１出力の出力ユニットが差し込まれており、残りの１６個のコネクタに１６個の１入力１出力（１対１）のスイッチユニットが差し込まれている。これにより、４入力４出力のルータが実現されている。
【００４１】
図９には、４対４のルータの他の構成例を示してある。
本例のビデオルータでは、ユニットを接続する９個のコネクタを実装してあり、例えば有線ケーブルからなる所定の配線（一点鎖線で示したもの）を有するプラッタで８個のユニットを接続している。なお、本例では、図９において、右上のコネクタにはユニットが差し込まれていない。
【００４２】
具体的には、プラッタでは、図９において、縦方向のユニットの並びについては、あるユニットの各タンデム端子Ｂ１、Ｂ２とその１つ下側のユニットの各入力端子Ａ１、Ａ２とを接続する配線（一点鎖線で示したもの）が設けられており、また、横方向のユニットの並びについては、あるユニットの各出力端子Ｄ１、Ｄ２とその１つ右側のユニットの各タンデム端子Ｃ１、Ｃ２とを接続する配線（一点鎖線で示したもの）が設けられている。
【００４３】
図９の構成例では、右上のコネクタを除いて、一番上側の２個のコネクタに２個の２入力の入力ユニットが差し込まれており、一番右側の２個のコネクタに２個の２出力の出力ユニットが差し込まれており、残りの４個のコネクタに４個の２入力２出力（２対２）のスイッチユニットが差し込まれている。これにより、４入力４出力のルータが実現されている。
【００４４】
ここで、図８では入力数や出力数が１であるユニットを用いた場合を示し、図９では入力数や出力数が２であるユニットを用いた場合を示したが、同様な構成により、入力数や出力数が３以上であるユニットを用いることも可能である。例えば、プラッタでは、縦方向のユニットの並びについては、あるユニットの各タンデム端子Ｂ１、Ｂ２、・・・とその１つ下側のユニットの各入力端子Ａ１、Ａ２、・・・とを接続する配線が設けられ、また、横方向のユニットの並びについては、あるユニットの各出力端子Ｄ１、Ｄ２、・・・とその１つ右側のユニットの各タンデム端子Ｃ１、Ｃ２、・・・とを接続する配線が設けられる。
【００４５】
なお、スイッチユニットが有するスイッチの制御については、１つの入力が複数の出力とされるのはよいが、１つの出力に複数の入力が重ならないように制御される。１つの出力に複数の入力が重なる場合には、例えば、任意の方法で、優先順位の高い入力を出力させる制御が行われる。
【００４６】
次に、ルーティングのためのスイッチユニットの他の構成例を示す。
図１０には、４入力及び４出力のルーティングを行うユニット（スイッチユニット）の一例を示してある。これは、ビデオルータを構成するための基本的な構成要素の一例である。
本例のスイッチユニットは、４個の入力の端子Ａ１〜Ａ４と、４個のタンデムの端子Ｃ１〜Ｃ４と、４個のタンデムの端子Ｂ１〜Ｂ４と、４個の出力の端子Ｄ１〜Ｄ４と、１６個の制御の端子Ｓ１１〜Ｓ１４、Ｓ２１〜Ｓ２４、Ｓ３１〜Ｓ３４、Ｓ４１〜Ｓ４４と、１６個のスイッチｓ１１〜ｓ１４、ｓ２１〜ｓ２４、ｓ３１〜ｓ３４、ｓ４１〜ｓ４４を備えている。
本例のスイッチユニットは、これら複数の端子Ａ１〜Ａ４、Ｃ１〜Ｃ４、Ｂ１〜Ｂ４、Ｄ１〜Ｄ４、Ｓ１１〜Ｓ４４を有するブロック状の筐体を用いて構成されている。
【００４７】
ここで、各入力端子Ａ１〜Ａ４と各タンデム端子Ｂ１〜Ｂ４とが有線ケーブルで接続されており、各タンデム端子Ｃ１〜Ｃ４と各出力端子Ｄ１〜Ｄ４とが有線ケーブルで接続されている。
また、入力線と出力線が交差するそれぞれのところには、スイッチｓ１１〜ｓ４４が設けられている。これらのスイッチｓ１１〜ｓ４４は、それぞれ、ルーティングのための接続スイッチであり、各制御端子Ｓ１１〜Ｓ４４からの制御信号に応じてオンとオフが切り替えられる。
【００４８】
図１１には、４入力及び４出力のルーティングを行うユニット（スイッチユニット）の他の一例を示してある。これは、ビデオルータを構成するための基本的な構成要素の一例である。
本例のスイッチユニットは、４個の入力の端子Ａ１〜Ａ４と、４個のタンデムの端子Ｃ１〜Ｃ４と、４個のタンデムの端子Ｂ１〜Ｂ４と、４個の出力の端子Ｄ１〜Ｄ４と、１６個の制御の端子Ｓ１１〜Ｓ１４、Ｓ２１〜Ｓ２４、Ｓ３１〜Ｓ３４、Ｓ４１〜Ｓ４４と、８個のスイッチｓ１１、ｓ１２、ｓ２１、ｓ２２、ｓ３１、ｓ３２、ｓ４１、ｓ４２を備えている。
本例のスイッチユニットは、これら複数の端子Ａ１〜Ａ４、Ｃ１〜Ｃ４、Ｂ１〜Ｂ４、Ｄ１〜Ｄ４、Ｓ１１〜Ｓ４４を有するブロック状の筐体を用いて構成されている。
【００４９】
ここで、各入力端子Ａ１〜Ａ４と各タンデム端子Ｂ１〜Ｂ４とが有線ケーブルで接続されており、各タンデム端子Ｃ１〜Ｃ４と各出力端子Ｄ１〜Ｄ４とが有線ケーブルで接続されている。
また、本例では、入力端子Ａ１と入力端子Ａ２のみについて、入力線と出力線が交差するそれぞれのところに、スイッチｓ１１、ｓ１２、ｓ２１、ｓ２２、ｓ３１、ｓ３２、ｓ４１、ｓ４２が設けられている。これらのスイッチｓ１１、ｓ１２、ｓ２１、ｓ２２、ｓ３１、ｓ３２、ｓ４１、ｓ４２は、それぞれ、ルーティングのための接続スイッチであり、各制御端子Ｓ１１、Ｓ１２、Ｓ２１、Ｓ２２、Ｓ３１、Ｓ３２、Ｓ４１、Ｓ４２からの制御信号に応じてオンとオフが切り替えられる。
【００５０】
このように、本例では、４対４のルーティングユニットに２入力及び４出力（２対４）のスイッチを実装してある。
なお、スイッチを実装していない列に対しても、各入力端子Ａ３、Ａ４から各タンデム端子Ｂ３、Ｂ４へバイパス回路を持つことにより、後段のユニットで全ての列の信号を使用することができる。
【００５１】
図１２には、４入力及び４出力のルーティングを行うユニット（スイッチユニット）の他の一例を示してある。これは、ビデオルータを構成するための基本的な構成要素の一例である。
本例のスイッチユニットは、４個の入力の端子Ａ１〜Ａ４と、４個のタンデムの端子Ｃ１〜Ｃ４と、４個のタンデムの端子Ｂ１〜Ｂ４と、４個の出力の端子Ｄ１〜Ｄ４と、１６個の制御の端子Ｓ１１〜Ｓ１４、Ｓ２１〜Ｓ２４、Ｓ３１〜Ｓ３４、Ｓ４１〜Ｓ４４と、８個のスイッチｓ１１、ｓ１２、ｓ１３、ｓ１４、ｓ２１、ｓ２２、ｓ２３、ｓ２４を備えている。
本例のスイッチユニットは、これら複数の端子Ａ１〜Ａ４、Ｃ１〜Ｃ４、Ｂ１〜Ｂ４、Ｄ１〜Ｄ４、Ｓ１１〜Ｓ４４を有するブロック状の筐体を用いて構成されている。
【００５２】
ここで、各入力端子Ａ１〜Ａ４と各タンデム端子Ｂ１〜Ｂ４とが有線ケーブルで接続されており、各タンデム端子Ｃ１〜Ｃ４と各出力端子Ｄ１〜Ｄ４とが有線ケーブルで接続されている。
また、本例では、出力端子Ｄ１と出力端子Ｄ２のみについて、入力線と出力線が交差するそれぞれのところに、スイッチｓ１１、ｓ１２、ｓ１３、ｓ１４、ｓ２１、ｓ２２、ｓ２３、ｓ２４が設けられている。これらのスイッチｓ１１、ｓ１２、ｓ１３、ｓ１４、ｓ２１、ｓ２２、ｓ２３、ｓ２４は、それぞれ、ルーティングのための接続スイッチであり、各制御端子Ｓ１１、Ｓ１２、Ｓ１３、Ｓ１４、Ｓ２１、Ｓ２２、Ｓ２３、Ｓ２４からの制御信号に応じてオンとオフが切り替えられる。
【００５３】
このように、本例では、４対４のルーティングユニットに４入力及び２出力（４対２）のスイッチを実装してある。
なお、スイッチを実装していない行に対しても、各タンデム端子Ｃ３、Ｃ４から各出力端子Ｄ３、Ｄ４へバイパス回路を持つことにより、後段のユニットで全ての行の信号を使用することができる。
【００５４】
ここで、図１０〜図１２に示されるようなユニットの構成では、例えば、ビデオルータのプラッタが有するユニット用コネクタの構成（例えば、４×４）が大きくても、スイッチユニットが有するスイッチの構成数を自由に設定することで、２対４（図１１の例）や４対２（図１２の例）など、任意の入出力数を実現することができる。
【００５５】
次に、本例のビデオルータの種々な構成例を示す。
なお、図１３〜図１６において、ａは入力ユニットを示しており、ｂは出力ユニットを示しており、ｃはルーティングのためのスイッチユニット（ルーティングユニット）を示している。また、バツ（×）印の部分は、クロスポイント用のスイッチが付いていることを示す。
【００５６】
図１３には、１２入力及び８出力のビデオルータの構成例を示してある。
本例のビデオルータは、ユニットを差し込んで実装するためのプラッタ（プラッタユニット）に、図１３において、上側に３台の４入力ユニットａ１、ａ２、ａ３を横に並べて実装し、右側に２台の４出力ユニットｂ１、ｂ２を縦に並べて実装し、これらの間に６台の４×４スイッチユニットｃ１１、ｃ１２、ｃ１３、ｃ２１、ｃ２２、ｃ２３を実装して、構成されている。４×４スイッチユニットは、上側に３台ｃ１１、ｃ１２、ｃ１３が横に並べられており、その下側に他の３台ｃ２１、ｃ２２、ｃ２３が横に並べられている。本例では、これらの４×４スイッチユニットは、それぞれ、１６個のポイントスイッチを有している。
【００５７】
図１４には、１２入力及び８出力のビデオルータの他の構成例を示してある。
本例のビデオルータは、図１３に示される構成において、下側の中央のスイッチユニットｃ２２として上側の２行に８個のポイントスイッチを有するのみのユニットを実装しており、下側の右側のスイッチユニットｃ２３として上側の２行及び左側の２列に４個のポイントスイッチを有するのみのユニットを実装している。このように、一部のポイントスイッチしか有していないスイッチユニットをプラッタに実装することもできる。
本例のように、プラッタに実装するユニットを様々に変更することで、簡単に、ビデオルータの構成を様々に変更することができる。
【００５８】
図１５には、本例のビデオルータの一例を示してある。
本例のビデオルータでは、プラッタ上で、複数のマトリクスが構成されている。
具体的には、図１５において、４入力ユニットａ１と、その下側の４×４スイッチユニットｃ２１と、その右側の４出力ユニットｂ３により、４×４のマトリクスのルーティング機能が構成されている。
【００５９】
また、図１５において、横に並べられた２台の４入力ユニットａ２、ａ３と、これらの下側に横に並べられた２台の４×４スイッチユニットｃ１２、ｃ１３と、その右側の１台の４出力ユニットｂ１により、８×４のマトリクスのルーティング機能が構成されている。
また、図１５において、１台の４入力ユニットａ３と、その下側に縦に並べられた２台の４×４スイッチユニットｃ１３、ｃ２３と、これらの右側に縦に並べられた２台の４出力ユニットｂ１、ｂ２により、４×８のマトリクスのルーティング機能が実現されている。
【００６０】
このように、本例のビデオルータでは、１つのプラッタ上に、４対４のビデオルータの機能と、８対４のビデオルータの機能と、４対８のビデオルータの機能を複合している。
本例のように、プラッタに実装するユニットを様々に変更することで、簡単に、ビデオルータの構成を様々に変更することができ、例えば、１つのプラッタ上に複数のマトリクスを構成することもできる。
ここで、図１３〜図１５では、同じプラッタに異なるユニットを共通して実装することができるように、各ユニットのコネクタの規格を統一している。
【００６１】
図１６には、本例のビデオルータの一例を示してある。
本例のビデオルータでは、入力数や、出力数や、ポイントスイッチの数が異なる複数のユニットを１つのプラッタに実装した一例を示してある。
具体的には、図１６において、一番上側には、１台の１２入力ユニットａ１と、２台の４入力ユニットａ４、ａ５と、１台の８入力ユニットａ６が横に並べられている。一番右側には、１台の８出力ユニットｂ１と、２台の４出力ユニットｂ３、ｂ４が縦に並べられている。これらの間に、１台の２８×４スイッチユニットｃ１１と、５台の４×４スイッチユニットｃ２１、ｃ２２、ｃ２３、ｃ２４、ｃ２５と、１台の８×４スイッチユニットｃ２６と、１台の８×８スイッチユニットｃ３１と、１０台の４×４スイッチユニットｃ３３、ｃ３４、ｃ３５、ｃ３６、ｃ３７、ｃ４３、ｃ４４、ｃ４５、ｃ４６、ｃ４７が実装されている。これにより、２８入力及び１６出力のビデオルータ機能が構成されている。
【００６２】
図１７には、本例のビデオルータを構成するプラッタ（プラッタユニット）に設けられたコネクタの配置の一例を示してある。
本例のプラッタでは、図１７において、横に４列及び縦に５行の計２０個のコネクタＣＮ１１〜ＣＮ１４、ＣＮ２１〜ＣＮ２４、ＣＮ３１〜ＣＮ３４、ＣＮ４１〜ＣＮ４４、ＣＮ５１〜ＣＮ５４が設けられている。本例では、ユニットの実装数を最大で４×５の２０ユニットとしている。
ここで、コネクタの数や、各コネクタの接続可能な端子の数については、種々な態様が用いられてもよい。具体例として、全てのコネクタが４×４の端子と接続可能である構成や、或いは、それぞれのコネクタ毎に接続可能な端子の数が異なる（同じものがあってもよい）構成を用いることができる。
【００６３】
本例では、各コネクタに、入力ユニットや出力ユニットや入出力ユニットやスイッチユニットを着脱可能に実装することができる。ここで、これらのユニットは増設する単位となり、任意の端子数（ｎ入力及びｍ出力）のユニットが用いられてもよく、異なる端子数である複数のユニットが組み合わされて実装されてもよい。
図１７の例では、各コネクタにｎ×ｍのスイッチユニットを実装することが可能であり、最大の回線数としては、端のコネクタ部を除いて計算すると、（ｎ×４×３）入力及び（ｍ×４×３）出力の回線を切り替えることが可能である。なお、端のコネクタは、本例では、入力と出力に使用される。
【００６４】
図１８（ａ）には、本例のビデオルータを構成するプラッタ（プラッタユニット）のコネクタＣ１１〜Ｃ１４、Ｃ２１〜Ｃ２４の配置の一例を示してある。
図１８（ｂ）には、プラッタの各コネクタＣ１１〜Ｃ１４、Ｃ２１〜Ｃ２４にユニットを差し込んで実装した状態の様子（イメージ）の一例を示してある。
【００６５】
本例では、各コネクタＣ１１〜Ｃ１４、Ｃ２１〜Ｃ２４の接続可能な端子数は横４×縦４となっている。
また、本例では、ユニットの大きさの最小単位を４回路（横４×縦４）としており、４回路のユニット、８回路（横８×縦４）のユニット、１６回路（横１６×縦４）のユニットを実装している。具体的には、２個のコネクタＣＮ１１、ＣＮ１２にはそれぞれ１台の４回路のユニットを実装してあり、２個のコネクタＣＮ１３、ＣＮ１４にわたって１台の８回路のユニットを実装してあり、４個のコネクタＣＮ２１、ＣＮ２２、ＣＮ２３、ＣＮ２４にわたって１台の１６回路のユニットを実装してある。
本例では、回路数が異なってもコネクタの位置に互換性を持たせることができ、同じプラッタユニットで異なるユニットを実装することができる。
【００６６】
ここで、他の構成例として、回路数毎にコネクタのサイズを変更する実装方法などを用いることもでき、必要な条件に応じて、プラッタユニットや実装するユニットを適宜のサイズとすることも可能であり、運用や製造コスト等を考慮して、柔軟な設計が可能である。
このように、各ユニット毎に構成規模を変えたユニットを実装することも可能であり、これらの組み合わせにより、柔軟な入出力構成を有するビデオルータを構築することができる。
【００６７】
以上のように、本例のビデオルータでは、ユニット（入力ユニットや出力ユニットや入出力ユニットやスイッチユニット）の入力と出力を接続するためのプラッタを備え、小さなマトリクスを持つ複数のユニットをプラッタに接続して実装することにより、簡単に自由に、入力数や出力数を変更することができ、マトリクスの構成やマトリクスの数を変更することができる。
【００６８】
従って、本例のビデオルータでは、必要な入出力数を持つルータを簡単に構成することができる。また、本例では、一般にルータの中で高価な構成部品であるルーティング用のスイッチユニットの数を必要最小限に抑えることが可能となり、装置全体のコストダウンができる。また、本例では、ユニット単位で活線挿抜（交換するユニット以外を稼働状態としたままで交換可能とする技術）を行うことにより、故障時に最小限の被害で済み、且つ、速やかな復旧を行うことができる。また、本例では、例えば、ユニットを共通化することにより、同じタイプの各ユニットを最低１個以上保有しておけば、障害時の対応が可能である。
【００６９】
また、本例では、ユニットとして小規模な同一なユニットを用いることが可能であるため、ユニットの単価を安くすることができ、保守費の低減ができる。また、本例では、増設などの構成変更に対して、ユニットの追加等により速やかに対応することが可能となる。また、本例では、例えば、増設予定のユニットを予め実装しておく必要が無いため、当初のコストを抑えることが可能となる。
【００７０】
また、本例のビデオルータでは、入出力される信号としては、種々なものが用いられてもよい。例えば、デジタル信号では映像と音声が重畳され、アナログ信号では映像（ビデオ）と音声（オーディオ）が別個な信号とされる。
一例として、ビデオ信号用（ＳＤＩ（シリアル・デジタル・インタフェース））のビデオルータ（プラッタや各ユニット）を構成することが可能である。
【００７１】
また、前記したＳＤＩの音声信号がエンベデットされている態様ばかりでなく、前記したＳＤＩ信号の代わりにデジタル音声（ＡＥＳ／ＥＢＵ規格など）の信号を切り替えることが可能なビデオルータ（プラッタや各ユニット）を構成することも可能である。
また、スイッチユニット等をアナログ信号に対応したものとすることにより、前記したＳＤＩ信号の代わりにアナログビデオやアナログオーディオの信号を切り替えることが可能なビデオルータ（プラッタや各ユニット）を構成することも可能である。
【００７２】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００７３】
【図１】本発明の一実施例に係る１入力及び１出力のスイッチユニット（ルーティングユニット）の構成例を示す図である。
【図２】本発明の一実施例に係る２入力及び２出力のスイッチユニット（ルーティングユニット）の構成例を示す図である。
【図３】本発明の一実施例に係る１入力及び１出力に対応した入出力ユニットの構成例を示す図である。
【図４】本発明の一実施例に係るバッファを有する１入力及び１出力に対応した入出力ユニットの構成例を示す図である。
【図５】本発明の一実施例に係る入力ユニットの構成例を示す図である。
【図６】本発明の一実施例に係る出力ユニットの構成例を示す図である。
【図７】１入力及び１出力のルータの構成例を示す図である。
【図８】４入力及び４出力のルータの構成例を示す図である。
【図９】４入力及び４出力のルータの構成例を示す図である。
【図１０】本発明の一実施例に係る４入力及び４出力のスイッチユニット（ルーティングユニット）の構成例を示す図である。
【図１１】本発明の一実施例に係る４入力及び４出力のスイッチユニット（ルーティングユニット）に２対４のスイッチを実装したユニットの構成例を示す図である。
【図１２】本発明の一実施例に係る４入力及び４出力のスイッチユニット（ルーティングユニット）に４対２のスイッチを実装したユニットの構成例を示す図である。
【図１３】１２入力及び８出力のビデオルータの構成例を示す図である。
【図１４】１２入力及び８出力のビデオルータの構成例を示す図である。
【図１５】ビデオルータの構成例を示す図である。
【図１６】ビデオルータの構成例を示す図である。
【図１７】プラッタユニットのコネクタの配置の一例を示す図である。
【図１８】プラッタユニットのコネクタにユニットを差した状態の一例を示す図である。
【図１９】２入力及び２出力のルータの一例を示す図である。
【図２０】ルーティングを外部から制御可能としたルータの一例を示す図である。
【図２１】２入力及び２出力のルーティング回路の一例を示す図である。
【図２２】４入力及び４出力のルータの一例を示す図である。
【符号の説明】
【００７４】
ｓ・・スイッチ、  １１、１３・・入力コネクタ、  １２、１４・・出力コネクタ、  ２１〜２４、１０１〜１０２・・バッファ、  ３１〜３３・・ユニット、  ４１、４２・・配線、  １１１・・制御装置、
【図１】
2008252516.tif 000003
【図２】
2008252516.tif 000004
【図３】
2008252516.tif 000005
【図４】
2008252516.tif 000006
【図５】
2008252516.tif 000007
【図６】
2008252516.tif 000008
【図７】
2008252516.tif 000009
【図８】
2008252516.tif 000010
【図９】
2008252516.tif 000011
【図１０】
2008252516.tif 000012
【図１１】
2008252516.tif 000013
【図１２】
2008252516.tif 000014
【図１３】
2008252516.tif 000015
【図１４】
2008252516.tif 000016
【図１５】
2008252516.tif 000017
【図１６】
2008252516.tif 000018
【図１７】
2008252516.tif 000019
【図１８】
2008252516.tif 000020
【図１９】
2008252516.tif 000021
【図２０】
2008252516.tif 000022
【図２１】
2008252516.tif 000023
【図２２】
2008252516.tif 000024